【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
処理回路から入力される、データ量が圧縮された画像の圧縮コードデータをメモリに転送する転送手段と、
この転送手段によりメモリに転送される圧縮コードデータの量が予め設定した制限値を越えるか否かを判別する判別手段と、
この判別手段で制限値を越えると判別した際に上記転送手段によるメモリへの圧縮コードデータの転送を停止させる停止手段と、
上記判別手段で制限値を越えると判別した際にその旨を通知する通知手段と
を具備したことを特徴とする画像データ転送装置。
【請求項２】
上記判別手段により制限値を越えると判別された後も継続して上記処理回路から入力される圧縮コードデータの総量を計測する計測手段を備え、
上記通知手段は、さらに上記計測手段により計測された圧縮コードデータの総量を通知する手段を含むことを特徴とする請求項１記載の画像データ転送装置。
【請求項３】
上記判別手段は、メモリに転送して記憶させる圧縮コードデータの指定アドレスが予め設定した制限アドレスを越えるか否かを判断することを特徴とする請求項１記載の画像データ転送装置。
【請求項４】
上記転送手段によりメモリに転送される圧縮コードデータの量をカウントするカウント手段を備え、
上記判別手段は、上記カウント手段によりカウントされるカウント値が予め設定した制限カウント値を越えるか否かを判断することを特徴とする請求項１記載の画像データ転送装置。
【請求項５】
上記処理回路から入力される圧縮コードデータの量を計測する計測手段を備え、
上記判別手段は、上記計測手段により計測される画像データの量が予め設定した制限値を越えるか否かを判別することを特徴とする請求項１記載の画像データ転送装置。
【請求項６】
処理回路から入力される、データ量が圧縮された画像の圧縮コードデータをメモリに転送する転送工程と、
この転送工程でメモリに転送する圧縮コードデータの量が予め設定した制限値を越えるか否かを判別する判別工程と、
この判別工程で制限値を越えると判別した際に上記転送工程によるメモリへの圧縮コードデータの転送を停止させる停止工程と、
上記判別工程で制限値を越えると判別した際にその旨を通知する通知工程と
を有したことを特徴とする画像データ転送方法。
【請求項７】
被写体像を撮像し画像データを出力する撮像手段と、
この撮像手段から出力された画像データを圧縮する圧縮手段と、
この圧縮手段により圧縮された画像の圧縮コードデータをメモリに転送して記憶させる転送手段と、
この転送手段がメモリに転送する圧縮コードデータの量が予め設定した制限値を越えるか否かを判別する判別手段と、
この判別手段で制限値を越えると判別した際に上記転送手段によるメモリへの圧縮コードデータの転送を停止させる停止手段と、
上記判別手段で制限値を越えると判別した際に上記圧縮手段の圧縮率を変更させる制御手段と
を具備したことを特徴とする撮像装置。
【請求項８】
上記圧縮手段は、上記判別手段により制限値を越えると判別された場合であっても全ての画像データの圧縮が完了するまで圧縮処理を行ない、
上記圧縮手段により圧縮された画像の圧縮コードデータの総量を計測する計測手段を備え、
上記制御手段は、さらに上記計測手段により計測された圧縮コードデータの総量に基づいて圧縮率を決定する決定手段を含み、この決定手段により決定された圧縮率に上記圧縮手段の圧縮率を変更することを特徴とする請求項７記載の撮像装置。
【手続補正２】
【補正対象書類名】明細書
【補正対象項目名】００１７
【補正方法】変更
【補正の内容】
【００１７】
【課題を解決するための手段】
請求項１記載の発明は、処理回路から入力される、データ量が圧縮された画像の圧縮コードデータをメモリに転送する転送手段と、この転送手段によりメモリに転送される圧縮コードデータの量が予め設定した制限値を越えるか否かを判別する判別手段と、この判別手段で制限値を越えると判別した際に上記転送手段によるメモリへの圧縮コードデータの転送を停止させる停止手段と、上記判別手段で制限値を越えると判別した際にその旨を通知する通知手段とを具備したことを特徴とする。
【手続補正３】
【補正対象書類名】明細書
【補正対象項目名】００１９
【補正方法】変更
【補正の内容】
【００１９】
請求項２記載の発明は、上記請求項１記載の発明において、上記判別手段により制限値を越えると判別された後も継続して上記処理回路から入力される圧縮コードデータの総量を計測する計測手段を備え、上記通知手段は、さらに上記計測手段により計測された圧縮コードデータの総量を通知する手段を含むことを特徴とする。
【手続補正４】
【補正対象書類名】明細書
【補正対象項目名】００２１
【補正方法】変更
【補正の内容】
【００２１】
請求項３記載の発明は、上記請求項１記載の発明において、上記判別手段は、メモリに転送して記憶させる圧縮コードデータの指定アドレスが予め設定した制限アドレスを越えるか否かを判断することを特徴とする。
【手続補正５】
【補正対象書類名】明細書
【補正対象項目名】００２３
【補正方法】変更
【補正の内容】
【００２３】
請求項４記載の発明は、上記請求項１記載の発明において、上記転送手段によりメモリに転送される圧縮コードデータの量をカウントするカウント手段を備え、上記判別手段は、上記カウント手段によりカウントされるカウント値が予め設定した制限カウント値を越えるか否かを判断することを特徴とする。
【手続補正６】
【補正対象書類名】明細書
【補正対象項目名】００２５
【補正方法】変更
【補正の内容】
【００２５】
請求項５記載の発明は、上記請求項１記載の発明において、上記処理回路から入力される圧縮コードデータの量を計測する計測手段を備え、上記判別手段は、上記計測手段により計測される画像データの量が予め設定した制限値を越えるか否かを判別することを特徴とする。
【手続補正７】
【補正対象書類名】明細書
【補正対象項目名】００２７
【補正方法】変更
【補正の内容】
【００２７】
請求項６記載の発明は、処理回路から入力される、データ量が圧縮された画像の圧縮コードデータをメモリに転送する転送工程と、この転送工程でメモリに転送する圧縮コードデータの量が予め設定した制限値を越えるか否かを判別する判別工程と、この判別工程で制限値を越えると判別した際に上記転送工程によるメモリへの圧縮コードデータの転送を停止させる停止工程と、上記判別工程で制限値を越えると判別した際にその旨を通知する通知工程とを有したことを特徴とする。
【手続補正８】
【補正対象書類名】明細書
【補正対象項目名】００２９
【補正方法】変更
【補正の内容】
【００２９】
請求項７記載の発明は、被写体像を撮像し画像データを出力する撮像手段と、この撮像手段から出力された画像データを圧縮する圧縮手段と、この圧縮手段により圧縮された画像の圧縮コードデータをメモリに転送して記憶させる転送手段と、この転送手段がメモリに転送する圧縮コードデータの量が予め設定した制限値を越えるか否かを判別する判別手段と、この判別手段で制限値を越えると判別した際に上記転送手段によるメモリへの圧縮コードデータの転送を停止させる停止手段と、上記判別手段で制限値を越えると判別した際に上記圧縮手段の圧縮率を変更させる制御手段とを具備したことを特徴とする。
【手続補正９】
【補正対象書類名】明細書
【補正対象項目名】００３０
【補正方法】変更
【補正の内容】
【００３０】
このような構成とすれば、撮像により得た画像データを記録媒体に記録する前にこれをバッファ記憶するためのメモリに転送する画像データの量が制限値を越えたと判別した時点で直ちにメモリへの転送を停止し、圧縮手段で新たな圧縮率によるデータ圧縮処理を早いタイミングで開始させることができ、処理時間を無駄に浪費することなく、制限値の容量しか持たないメモリに確実にデータ圧縮を施した画像データを転送することが可能となる。
請求項８記載の発明は、上記請求項７記載の発明において、上記圧縮手段は、上記判別手段により制限値を越えると判別された場合であっても全ての画像データの圧縮が完了するまで圧縮処理を行い、上記圧縮手段により圧縮された画像の圧縮コードデータの総量を計測する計測手段を備え、上記制御手段は、さらに上記計測手段により計測された圧縮コードデータの総量に基づいて圧縮率を決定する決定手段を含み、この決定手段により決定された圧縮率に上記圧縮手段の圧縮率を変更することを特徴とする。
このような構成とすれば、上記請求項７記載の発明の作用に加えて、制限値を越えたと判別された画像データの総量を計測することにより、圧縮手段で次にデータ量が制限値を越えることのないように画像データを圧縮処理する際の圧縮率を正確に算出することができる。
【手続補正１０】
【補正対象書類名】明細書
【補正対象項目名】００９１
【補正方法】変更
【補正の内容】
【００９１】
請求項７記載の発明によれば、撮像により得た画像データを記録媒体に記録する前にこれをバッファ記憶するためのメモリに転送する画像データの量が制限値を越えたと判別した時点で直ちにメモリへの転送を停止し、圧縮手段で新たな圧縮率によるデータ圧縮処理を早いタイミングで開始させることができ、処理時間を無駄に浪費することなく、制限値の容量しか持たないメモリに確実にデータ圧縮を施した画像データを転送することが可能となる。
請求項８記載の発明によれば、上記請求項７記載の発明の効果に加えて、制限値を越えたと判別された画像データの総量を計測することにより、圧縮手段で次にデータ量が制限値を越えることのないように画像データを圧縮処理する際の圧縮率を正確に算出することができる。